(57)【要約】      （修正有）【課題】防草効果に優れ、破損や腐蝕がしにくく、地域景観の保全形成に効果を有し、交通視界の妨げにならない短草植物が生育不良を起こすことなく長期間生育可能で、施工が容易に行える防草緑化シートの提供。【解決手段】上から順にクラフト色の中芯原紙を両面コーティングしたコーティング紙、根や水も通さぬポリシート、保水性を有する不織布を重ね熱接着にて１枚の防草シートとし、当該防草シート面に一定の間隔で直径十数ミリの植穴を形成し、植穴付防草シート６とする。この植穴付防草シート６の上部面に、所望植物の長期生育を促進する遅効性の肥料を付着した麻シート７を重ね、該植穴付防草シート６の下部面には肥料と種子を混合した種子シート８を形成し、この三枚のシートを接着して一枚の防草緑化シート９とする。【選択図】図４
2017127245.tif 000002
【特許請求の範囲】
【請求項１】
表面から中芯原紙を両面からコーティングしたコーティング紙、根や水も通さぬ黒色ポリシート、植芽を通さず保水性を有するポリエステル製黒色不織布の３枚の防草シートを重ね、熱接着にて１枚の防草シートとし、この防草シート面に一定の間隔で直径十数ミリの植穴を無数形成して植穴付防草シートとし、この植穴付防草シートの上部面に肥料付麻シートを重ね、当該植穴付防草シートの下部面に種子シートを形成して一枚のシートとしたことを特徴とする防草と緑化を兼ね備えた防草緑化シート。
【請求項２】
請求項１に記載の防草緑化シートを防草緑化対象となる土壌面に敷設固定し、雑草防除を図りつつ所望植物を繁茂させる防草緑化工法。
【発明の詳細な説明】
【技術分野】
【０００１】
本発明は、道路や法面等の雑草防除を図り短草植物による景観緑化を図る防草と緑化を兼ね備えた防草緑化に関するものである。
【背景技術】
【０００２】
道路や法面に生える雑草は、草丈も高くなり見通しが悪く交通の安全に支障をきたし、周囲の景観にも悪影響を及ぼすため、毎年膨大な経費を掛けて除草作業が行われてきた。そこで近年は、特許文献１の無機質粒子および無機質粒子を含有する合成樹脂より選ばれる表面層、改質アスファルト層および、基材層の少なくとも３層を積層した防草シートやこの３層に加え改質アスファルト層および、合成樹脂、ゴム、無機質粒子および無機質粒子を含有する合成樹脂より選ばれる裏面層との少なくとも５層を積層した防草シートを除草すべき箇所に敷設固定して雑草が生育しないようにする試みがなされている。
【０００３】
また特許文献２は、下から順に保水性を有する黒色不織布、根や水を通さぬ黒色ポリシート、撥水性と防根性を有する黒色不織布を重ね、熱接着にて１枚の防草シートを形成し、これに一定の間隔で貫通孔を多数設け、下面に２ミリ目合の黒色ラッセルネットシート、その下に種子と肥料が付着した種子シートを配置し、各シートが一体化するように熱接着にて１枚のシートに形成した防草緑化シートによる雑草防除と緑化を図った試みがなされている。
【０００４】
しかし、特許文献１の防草シートによる雑草防除は、雑草が生育しない反面、むきだしの防草シート一色だけが広がり地域景観の悪化が問題となりつつある。また、緑化と雑草防除を図った特許文献２は、季節により黒色シートが太陽光熱を高蓄熱してしまい、植物の発芽生育を妨げる問題がある。
【先行技術文献】
【特許文献】
【０００５】
【特許文献１】特開２００２−２７２３４８号公報
【特許文献２】特開２０１４−９４０００号公報
【発明の概要】
【発明が解決しようとする課題】
【０００６】
本発明は、上記の問題を解決すべく防草シートによる防草だけではなく、防草と緑化を兼ね備えた前発明の防草緑化シートを改良し、シート内の高蓄熱を抑え、種子シート内の種子の発芽・生育が良好で、さらに防草効果に優れ、地域景観と交通視界の妨げにならない所望植物の短草植物等が長期間生育可能で施工が容易に行なえる防草と緑化を兼ね備えた防草緑化シートの提供をすることである。
【課題を解決するための手段】
【０００７】
そこで、防草緑化シートの高蓄熱を抑え、所望植物を繁茂させることが可能な防草緑化シートを形成するために、上から順にクラフト色の中芯原紙を両面コーティングしたコーティング紙、根や水も通さぬポリシート、保水性を有する不織布を重ねて熱接着にて１枚の防草シートとし、当該防草シート面に一定の間隔で直径十数ミリの植穴を形成し、植穴付防草シートとする。この植穴付防草シートの上部面に、所望植物の長期生育を促進する遅効性の肥料を付着した麻シートを重ね、該植穴付防草シートの下部面には肥料と種子を混合した種子シートを形成し、この三枚のシートを接着して一枚の防草緑化シートとする。
【０００８】
当該防草緑化シートの植穴を直径１５ミリとし、１メートル四方当り縦横共に３９植穴を標準として１平米当り１，５２１個の植穴が形成された防草緑化シートとし、この防草シートに占める各面積割合は、平米当り防草シート部分が約７３パーセント、植穴部分が約２７パーセントの割合となり、植穴より生育させる植物は草刈りを必要としないほふく茎型短草の野芝やセンチピートグラステイフ・ブレア等の種子を附帯させた防草緑化シートとする。
【０００９】
当該防草緑化シートを従来除草作業が行われていた道路や法面の施工箇所に種子シート面を下面として隙間無く敷設し、頭部にフックが付いたアンカーピン等を用いて打設固定し、植穴部から短草系の所望植物を生育させるとともに約７３パーセントを占める防草シート部分が雑草の生育は、抑制することが可能な防草緑化シートによる緑化。
【発明の効果】
【００１０】
防草緑化シートを用いた緑化は、設置箇所への雑草生育を抑制しつつ、所望植物の短草植物等の生育と繁茂させることが可能となり、今まで除草管理が必要だった道路や法面等の管理費を削減させるとともに道路交通視野の改善がされ、地域景観の向上も図ることができる防草緑化シートである。
【００１１】
また、当該防草緑化シートは、上部に従来の黒色不織布に変えてクラフト色の中芯原紙をコーティングしたコーティング紙、その上に麻シートを形成したことにより、この二枚のシートが太陽光熱を反射及び軽減し、これによりシート内の蓄熱も軽減され発芽障害や生育障害が改善された。
【００１２】
なお、腐食しにくい材質で形成された防草緑化シートは、軽量で施工が容易な上、耐久性の確保と複数のシートによる水分蒸発の抑制を実現し、保水期間が長期に渡り確保できるため、自然降雨のみで所望植物が長期生育可能な防草緑化シートでもある。
【図面の簡単な説明】
【００１３】
【図１】コーティング紙を示す説明図である。
【図２】防草シートを形成する説明図である。
【図３】植穴付防草シートを示す斜視図である。
【図４】防草緑化シートを形成する説明図である。
【発明を実施するための形態】
【００１４】
以下、図面を参照して本発明の具体的な実施形態を詳述する。
【実施例】
【００１５】
図１は、防草シートの上部を形成するコーティング紙の構成を示すものである。
このコーティング紙は、中芯原紙１Ａの上部をポリフイルム１Ｂ、下部をポリエチレン１Ｃでコーティングし、水をはじき植根を通さないクラフト色のコーティング紙１で従来の黒色不織布に比べ太陽光熱を蓄熱しにくく腐食しにくいコーティング紙に形成された紙製の防草シートである。
【００１６】
図２は、蓄熱することなく太陽光を遮断するとともに保水性を有する防草シートの構成を示す説明図である。上から順に水や植根の侵入を防止し、太陽光の光と蓄熱を軽減するコーティング紙１、その下に植根や光を遮断する黒色ポリシート２、その下に遮光性と保水性を有するポリエステル製黒色不織布３の三枚のシートを順に重ね、熱接着で１枚の光を通さない防草シート４を形成する。なお、当該防草シート４を構成する三枚のシート類は、いずれも軽量で破損や腐蝕がしにくい材質で形成されているので、長期に渡り形状を保持し、防草効果が長期間発揮される。
【００１７】
図３は、植穴付防草シートを示すもので所望植物種子が前記防草シート４の下からシート上に伸長可能な直径１５ミリの植穴５を１メートル四方当り縦列３９植穴、横列３９植穴を標準として１平米当り１，５２１個の植穴を形成した植穴付防草シート６とする。この植穴の数により１平米当りの防草シートに占める植穴の面積は約２７パーセント、防草部分が約７３パーセントとなる。この割合は試験施工により、雑草の防除を図りつつ、所望植物（短草種）が繁茂する最適な割合であった。
【００１８】
図４は、防草緑化シートを形成するシート類を示すものである。始めに、図３で形成された植穴付防草シート６の上に、蓄熱を軽減し、所望植物の長期生育を促進する遅効性肥料を付着した麻シート７、植穴付防草シート６の下には水溶性の紙シートに所望植物の短草種子と化成肥料と遅効性肥料を付着した種子シート８を配置して各シートが一体化するように熱接着して１枚の防草緑化シート９とする。種子シート８は水分を吸収すると溶ける性質があるので、地表の水分や貫通孔からの水分等により溶け出し、内包された種子が地表に直接接触し、水分を吸収して発芽生育する。
【００１９】
当該防草緑化シートの幅は１メートルを標準とし、施工は防草緑化シートと敷設面との間に空隙を作らないようにゴミや雑草等の除去及び凹凸の修正を行い平坦な面を作り、防草緑化シート９を密着させて上部から順次敷設する。その時、隣接する防草緑化シート間に隙間が生じることのないようにお互いの防草緑化シートを約５センチ前後重ねて敷設していき、重ね合わせ部分を主体にアンカーピンにて当該防草緑化シートを設置面に固定する。
【産業上の利用可能性】
【００２０】
防草緑化シートは、雑草の生育を抑制して所望草種の短草植物等を繁茂させる防草と緑化を兼ね備えたシートであり、軽量で施工が容易な上、破損や腐蝕がしにくく、長期に渡り構造体の保持が可能であり、除草管理が必要な道路や法面等の緑化資材として、また景観形成等における自然環境の復元緑化資材として、これから大いに利用される可能性の高いものである。
【符号の説明】
【００２１】
１    コーティング紙
１Ａ  中芯原紙
１Ｂ  ポリエチレンコーティング
１Ｃ  ポリフイルムコーティング
２    黒色ポリシート
３    不織布
４    防草シート
５    植孔
６    植穴付防草シート
７    麻シート
８    種子シート
９    防草緑化シート
【図１】
2017127245.tif 000003
【図２】
2017127245.tif 000004
【図３】
2017127245.tif 000005
【図４】
2017127245.tif 000006